(57)【要約】【課題】  マイクロホンユニットをフレキシブルパイプにて支持してなるマイクロホンにおいて、フレキシブルパイプの屈曲時に発生する機械的振動を効果的に制動する。【解決手段】  マイクロホンユニットがフレキシブルパイプを含む支持パイプの一端側にて支持され、上記マイクロホンユニットに接続されるマイクケーブル５０が上記支持パイプ内に挿通されて上記支持パイプの他端側から引き出されるマイクロホンにおいて、マイクケーブル５０が備えている外部絶縁シース５５のうち、少なくとも上記フレキシブルパイプ内を通される部分の外部絶縁シースにフレキシブルパイプの内面に押し付けられる短毛のパイル５６を植設する。【選択図】  図２
2006229435.tif 000002
【特許請求の範囲】
【請求項１】
マイクロホンユニットがフレキシブルパイプを含む支持パイプの一端側にて支持され、上記マイクロホンユニットに接続されるマイクケーブルが上記支持パイプ内に挿通されて上記支持パイプの他端側から引き出されるマイクロホンにおいて、
上記マイクケーブルが備えている外部絶縁シースのうち、少なくとも上記フレキシブルパイプ内を通される部分の外部絶縁シースには、上記フレキシブルパイプの内面に押し付けられる短毛のパイルが植設されていることを特徴とするマイクロホン。
【請求項２】
フレキシブルパイプを含む支持パイプ内に挿通され、上記支持パイプの一端側に支持されているマイクロホンユニットに接続される外部絶縁シースを有するマイクケーブルにおいて、
上記外部絶縁シースのうち、少なくとも上記フレキシブルパイプ内を通される部分の外部絶縁シースには、上記フレキシブルパイプの内面に押し付けられる短毛のパイルが植設されていることを特徴とするマイクケーブル。
【発明の詳細な説明】
【技術分野】
【０００１】
本発明は、マイクロホンユニットをフレキシブルパイプを含む支持パイプにて支持してなるマイクロホンおよび同マイクロホンに適用されるマイクケーブルに関し、さらに詳しく言えば、フレキシブルパイプを曲げる際に発生する機械的な振動や支持パイプを伝搬する外来振動を制動する技術に関するものである。
【背景技術】
【０００２】
マイクロホンスタンドの一つとして、例えば特許文献１に記載されているように、屈曲自在なフレキシブルパイプを含む支持パイプを用いるものがある。フレキシブルパイプを用いたマイクロホンはグースネック型マイクロホンと呼ばれ、マイクロホンユニットを話者の口元に向けやすいことから会議室などに好ましく採用されている。
【０００３】
フレキシブルパイプはよく知られているように、鋼などの丸線材で復元力を担うコイルバネを形成し、その上からコイルバネの隙間に断面三角形状で塑性変形する銅合金などからなる三角線材を挟み込むことにより作製され、丸線材と三角線材とが強い摩擦をもつことから任意の方向に変形可能で、かつ、その変形状態を自己保持する。
【０００４】
しかしながら、丸線材と三角線材とが強い摩擦で係合していることから、その反面の現象として屈曲する際に機械的な振動が発生し、その振動がマイクロホンユニットに拾われて雑音を発生することがある。また、机に設置されている場合、その机を叩くなどにより発生する振動が支持パイプを介してマイクロホンユニットに伝搬されて雑音を発生することもある。
【０００５】
フレキシブルパイプを用いたマイクロホンには、この他にヘッドセット用のマイクロホンがあるが、このマイクロホンにおいてもフレキシブルパイプの曲げに伴って同様に雑音が発生することがある。
【０００６】
【特許文献１】特開平９−２２９２９２号公報
【発明の開示】
【発明が解決しようとする課題】
【０００７】
したがって、本発明の課題は、マイクロホンユニットをフレキシブルパイプを含む支持パイプにて支持してなるマイクロホンにおいて、フレキシブルパイプを曲げる際に発生する機械的な振動や支持パイプを伝搬する外来振動を効果的に制動し得る制動手段を提供することにある。
【課題を解決するための手段】
【０００８】
上記課題を解決するため、本発明は、マイクロホンユニットがフレキシブルパイプを含む支持パイプの一端側にて支持され、上記マイクロホンユニットに接続されるマイクケーブルが上記支持パイプ内に挿通されて上記支持パイプの他端側から引き出されるマイクロホンにおいて、上記マイクケーブルが備えている外部絶縁シースのうち、少なくとも上記フレキシブルパイプ内を通される部分の外部絶縁シースには、上記フレキシブルパイプの内面に押し付けられる短毛のパイルが植設されていることを特徴としている。
【０００９】
本発明にはマイクケーブルも含まれる。すなわち、本発明のマイクケーブルは、フレキシブルパイプを含む支持パイプ内に挿通され、上記支持パイプの一端側に支持されているマイクロホンユニットに接続される外部絶縁シースを有するマイクケーブルにおいて、上記外部絶縁シースのうち、少なくとも上記フレキシブルパイプ内を通される部分の外部絶縁シースには、上記フレキシブルパイプの内面に押し付けられる短毛のパイルが植設されていることを特徴としている。
【発明の効果】
【００１０】
本発明によれば、マイクケーブルを支持パイプ内に挿通することにより外部絶縁シースに植設されているパイルがフレキシブルパイプの内面に押し付けられ、これによりフレキシブルパイプの屈曲時に発生する機械的な振動が制動される。また、支持パイプに加えられる外来振動なども低減することができる。
【発明を実施するための最良の形態】
【００１１】
次に、図１ないし図３を参照して本発明の実施形態について説明するが、本発明はこれに限定されるものではない。図１は本発明のマイクロホンをグースネック型マイクロホンとした一例を示す側面図，図２は本発明で使用されるマイクケーブルの一例を拡大して示す断面図，図３はマイクロホンユニットの支持部分の構成を示す断面図である。
【００１２】
図１に示すように、このマイクロホン１はグースネック型であることから、マイクロホンユニット１０は支持パイプ２０の一端（上端）側に支持される。グースネック型マイクロホンにおいて、マイクロホンユニット１０には、通常、コンデンサマイクロホンユニットが用いられるが、場合によってはダイナミックマイクロホンユニットが用いられてもよい。
【００１３】
この例において、支持パイプ２０には、フレキシブルパイプ２１と例えば真鍮材などからなる金属パイプ２２とが含まれている。上記したように、フレキシブルパイプ２１は鋼などの丸線材で復元力を担うコイルバネを形成し、その上からコイルバネの隙間に断面三角形状で塑性変形する銅合金などからなる三角線材を挟み込むことにより作製されるものであってよい。
【００１４】
この例では、金属パイプ２２の上端側にフレキシブルパイプ２１が連結されているが、この配置の順序は任意であってよい。例えば、金属パイプ２２を上とし、フレキシブルパイプ２１をその下端側に連結してもよいし、金属パイプ２２を２本として、その中間にフレキシブルパイプ２１を連結してもよい。さらには、支持パイプ２０の全体をフレキシブルパイプ２１としてもよい。
【００１５】
また、支持パイプ２０をテーブル３０に取り付けるにあたって、この例では、テーブル３０に球継ぎ手４１を含む自在軸受４０を設置し、その球継ぎ手４１に金属パイプ２２の下端側を挿通して固定するようにしているが、図示しない別の金具などを用いて支持パイプ２０をテーブル３０に取り付けてもよい。
【００１６】
支持パイプ２０の下端側からはマイクロホンユニット１０に接続されるマイクケーブル５０が引き出される。図２を参照して、マイクケーブル５０には、２本の内部導体５１，５２を例えばメッシュ状のシールド線５３にて被覆してなる２芯シールドケーブルが用いられる。
【００１７】
内部導体５１，５２は、それぞれ内部絶縁シース５１ａ，５２ａにより被覆されており、内部絶縁体（介在系）５４とともにシールド線５３により被覆されている。シールド線５３の周りには外部絶縁シース（外皮）５５が設けられている。
【００１８】
外部絶縁シース５５には、例えば塩化ビニル，ポリプロピレン，シリコンゴムなどのゴム弾性を有する弾性体が用いられるが、本発明において、外部絶縁シース５５の外周面には、短毛のパイル５６が植設される。植設する方法は静電植毛であってよい。
【００１９】
パイル５６には、マイクケーブル５０のパイル５６の毛先を含む仮想の外径が支持パイプ２０の内径よりも大きくなるような長さを有するパイルが用いられる。すなわち、マイクケーブル５０を支持パイプ２０内に挿通したとき、パイル５６が支持パイプ２０の内面に押し付けられるような長さのパイルが用いられる。
【００２０】
また、パイル５６はパイプ内への挿通に支障を来さないある程度の靱性（いわゆる腰）を有していることが好ましく、一例として太さ３．３デシックス，長さ０．５ｍｍのナイロンパイルを挙げることができる。植設密度はパイル５６太さおよび長さとの関係を考慮して任意に決められてよい。
【００２１】
パイル５６は、マイクケーブル５０の支持パイプ２０内に挿通される部分の全長にわたって植設されることが好ましいが、少なくともフレキシブルパイプ２１内に挿通される部分に植設されることが本発明にとって重要である。
【００２２】
これによれば、マイクケーブル５０をフレキシブルパイプ２１内に挿通すると、パイル５６がフレキシブルパイプ２１の内面に弾性的に接触するため、フレキシブルパイプ２１の屈曲時に発生する機械的振動がパイル５６にて制動され、マイクロホンユニット１０に伝わりにくくなる。また、テーブル３０を叩くなどして発生する振動も減衰される。
【００２３】
次に、図３を参照して、グースネック型マイクロホンの場合、支持パイプ２０の先端、この例ではフレキシブルパイプ２１の先端に円筒状で金属製のホルダ６０が取り付けられ、このホルダ６０にコンデンサマイクロホンユニット１０が装着される。
【００２４】
ホルダ６０内には、インピーダンス変換器としてのＦＥＴ（電界効果トランジスタ）７１が実装された回路基板７０が収納される。マイクケーブル５０の一端はホルダ６０内に引き出され、その内部導体５１，５２が回路基板７０の図示しない端子部にハンダ付けされる。
【００２５】
ホルダ６０とコンデンサマイクロホンユニット１０は螺合により連結される。すなわち、ホルダ６０の開口部には雌ネジ６１が形成されているとともに、コンデンサマイクロホンユニット１０には雌ネジ６１に螺合する雄ネジ１２を有するスリーブ１１が設けられており、スリーブ１１を雌ネジ６１にねじ込むことにより、コンデンサマイクロホンユニット１０がホルダ６０に取り付けられる。
【００２６】
その際、コンデンサマイクロホンユニット１０の図示しない固定極から延びる信号出力軸１３が、回路基板７０上に設けられている板バネ７２と接触し、コンデンサマイクロホンユニット１０の出力信号がＦＥＴ７１のゲート極に入力される。
【００２７】
このような構成において、回路基板７０とホルダ６０との間には若干の隙間が存在するため、コンデンサマイクロホンユニット１０の図示しない後方音響端子に入り込む音波の一部が上記の隙間を介して回路基板７０の背面側（図３では回路基板７０の下面側）に回り込む。
【００２８】
その場合、回路基板７０の背面側の空間が支持パイプ２０内の空間と直接的に連通していると、回路基板７０の背面側に入り込んだ音波は、支持パイプ２０内の空間内において空洞共振を引き起こし指向周波数応答に悪影響を及ぼすが、本発明によると、マイクケーブル５０はパイル５６を備えているため、このパイル５６により、回路基板７０の背面側の空間が支持パイプ２０内の空間と遮断されるため、上記の空洞共振を防止することができる。この点も本発明の特徴の一つである。
【００２９】
以上、本発明を図１に示すグースネック型マイクロホンを例にして説明したが、本発明は、これ以外に例えばヘッドセット用でフレキシブルパイプにて支持されたマイクロホンにも適用することができる。
【図面の簡単な説明】
【００３０】
【図１】本発明のマイクロホンをグースネック型マイクロホンとした一例を示す側面図。
【図２】本発明で使用されるマイクケーブルの一例を拡大して示す断面図。
【図３】マイクロホンユニットの支持部分の構成を示す断面図。
【符号の説明】
【００３１】
１  マイクロホン
１０  マイクロホンユニット
２０  支持パイプ
２１  フレキシブルパイプ
２２  金属パイプ
３０  テーブル
４０  自在軸受
５０  マイクケーブル
５１，５２  内部導体
５３  シールド線
５５  外部絶縁シース
５６  パイル
【図１】
2006229435.tif 000003
【図２】
2006229435.tif 000004
【図３】
2006229435.tif 000005